(57)【要約】【課題】  既存のカード及び設備に導入しやすく、かつセキュリティ性の高いカード型情報記録媒体及び情報照合システムを提供すること。【解決手段】  磁気記録カードのカード基板に所定の桁数で規格化されている磁気記録層が形成されてなり、前記磁気記録層は暗証番号記録領域を備える磁気記録カードであって、前記暗証番号記録領域に前記磁気記録カードの使用回数についての回数情報が記録されていることを特徴とする磁気記録カード。また、前記回数情報を照合する回数情報照合部を備える情報照合システム。【選択図】図２
2018085161.tif 000002
【特許請求の範囲】
【請求項１】
磁気記録カードのカード基板に所定の桁数で規格化されている磁気記録層が形成されてなり、前記磁気記録層は暗証番号記録領域を備える磁気記録カードであって、
前記暗証番号記録領域に前記磁気記録カードの使用回数についての回数情報が記録されている
ことを特徴とする磁気記録カード。
【請求項２】
前記暗証番号記録領域はゼロ暗証化されている
ことを特徴とする請求項１記載の磁気記録カード。
【請求項３】
前記磁気記録層はさらに、カード情報を記録するための予備領域を備え、
前記回数情報の一部が前記暗証番号記録領域に記録され、
前記回数情報の他の一部が前記予備領域に記録されている
請求項１又は２記載の磁気記録カード。
【請求項４】
前記磁気記録層はさらに、カード情報を記録するための予備領域を備え、
前記回数情報は複数の割符情報に分割され、
前記暗証番号記録領域及び／又は前記予備領域に前記割符情報の一部が記録されている
ことを特徴とする請求項１又は２記載の磁気記録カード。
【請求項５】
磁気記録カードのカード基板に所定の桁数で規格化されている磁気記録層が形成されてなり、前記磁気記録層は暗証番号記録領域を備える磁気記録カードと、前記磁気記録層に記録されている情報を照合する照合装置と、を備えてなる情報照合システムであって、
前記照合装置は、
前記磁気記録層に記録されている前記情報が正しいと照合された後に、前記磁気記録カードの使用回数についての回数情報を作成する回数情報作成部を備え、
当該回数情報が前記暗証番号記録領域に記録されるともに、前記照合装置が備える記憶部に記録される
ことを特徴とする情報照合システム。
【請求項６】
前記暗証番号記録領域はゼロ暗証化されている
ことを特徴とする請求項５記載の情報照合システム。
【請求項７】
前記照合装置は、さらに、
前記磁気記録カードから前記暗証番号記録領域に記録されている前記回数情報を取得して、当該取得した回数情報が、前記記憶部に記録されている前記回数情報と一致するか否かを照合する回数情報照合部を備える
ことを特徴とする請求項５又は６記載の情報照合システム。
【請求項８】
前記磁気記録層はさらに、カード情報を記録するための予備領域を備え、
前記回数情報の一部が前記暗証番号記録領域に記録され、
前記回数情報の他の一部が前記予備領域に記録されており、
前記照合装置は、さらに、
前記磁気記録カードから前記暗証番号記録領域及び前記予備領域に記録されている前記回数情報を取得して、当該取得した回数情報が、前記記憶部に記録されている前記回数情報と一致するか否かを照合する回数情報照合部を備える
ことを特徴とする請求項５又は６記載の情報照合システム。
【請求項９】
前記回数情報は複数の割符情報に分割され、
前記暗証番号記録領域及び／又は前記予備領域に前記割符情報の一部が記録されており、
前記照合装置の前記記憶部に前記割符情報の他の一部が記録されており、
前記照合装置は、さらに、
前記磁気記録カードから前記暗証番号記録領域及び／又は前記予備領域に記録されている前記割符情報の一部を取得して、当該取得した割符情報の一部と、前記記憶部に記録されている前記割符情報の他の一部とに基づいて、前記分割される前の回数情報に復元する回数情報復元部を備える、
ことを特徴とする請求項８記載の情報照合システム。
【請求項１０】
前記照合装置は、
前記磁気記録層に記録されている前記情報の読み取り及び書き込みを行う端末装置と、
前記端末装置から前記情報を取得して、当該情報を照合する受信装置と、を備えてなる
ことを特徴とする請求項５〜９の何れか一項に記載の情報照合システム。
【発明の詳細な説明】
【技術分野】
【０００１】
この発明は、磁気記録カード及び磁気記録カードに記録されている情報を照合するシステムに関する。
【背景技術】
【０００２】
近年、銀行のキャッシュカードやクレジットカード等の偽造による不正なカード利用事件が多発している。このような事件はスキミングや、カード情報の漏洩等によるカードに記録されている情報の盗み取りに起因している。
【０００３】
カードの偽造を防ぐため、例えば特許文献１〜３に種々の対策が提案されている。
【０００４】
特許文献１には、現金カード（ＣＤ）の磁気ストライプに口座番号、暗証番号、カード使用回数が記録され、外部記憶装置の顧客対応取引データに同様のカード使用回数が記憶され、現金自動取引の際、中央処理装置で両社を比較して現金カードの不正な使用をチェックする発明が提案されている。
【０００５】
特許文献２には、固定暗証番号と可変認証数字とがカードとコントローラに記録され、カードをコントローラで認証する際に、カードとコントローラとの間で両方の固定暗証番号と可変認証数字とを認証する発明が提案されている。
【０００６】
特許文献３には、磁気カードの磁性体に登録番号、暗証番号、使用回数、有効月日が書き込まれ、磁気カード使用時にこれらの情報を照合する発明が提案されている。
【０００７】
また、暗証番号の盗み取りを防止するため、現在のキャッシュカード等には暗証番号は記録されず、ホストコンピュータ側で暗証番号を管理するいわゆるゼロ暗証方式が採用されている。
【先行技術文献】
【特許文献】
【０００８】
【特許文献１】昭５９−１００９８１号公報
【特許文献２】特開２００３−３４６０９７号公報
【特許文献３】実開昭５９−１７８７５４号公報
【発明の概要】
【発明が解決しようとする課題】
【０００９】
上記各特許文献に記載されている発明では、暗証番号がカードに記録されているため、スキミングや、カード情報の漏洩等によるカードの不正使用の可能性が依然として残ることとなる。
【００１０】
また、図９はＪＩＳ−ＩＩ型のキャッシュカードの磁気記録層に記録されている磁気情報の一例を表す図であるが、磁気記録カードの種別によっては、磁気記録層に記録される情報が固定されるため、上記ゼロ暗証方式以外にも、磁気記録カードの偽造による不正使用を防止する他の対策が望まれている。
【００１１】
この発明は、既存の磁気記録カード及び設備に導入しやすく、かつセキュリティ性の高い磁気記録カード及び情報照合システムを提供することを目的とする。
【課題を解決するための手段】
【００１２】
請求項１の発明は、
磁気記録カードのカード基板に所定の桁数で規格化されている磁気記録層が形成されてなり、前記磁気記録層は暗証番号記録領域を備える磁気記録カードであって、
前記暗証番号記録領域に前記磁気記録カードの使用回数についての回数情報が記録されている
ことを特徴とする磁気記録カードである。
【００１３】
請求項５の発明は、
磁気記録カードのカード基板に所定の桁数で規格化されている磁気記録層が形成されてなり、前記磁気記録層は暗証番号記録領域を備える磁気記録カードと、前記磁気記録層に記録されている情報を照合する照合装置と、を備えてなる情報照合システムであって、
前記照合装置は、
前記磁気記録層に記録されている前記情報が正しいと照合された後に、前記磁気記録カードの使用回数についての回数情報を作成する回数情報作成部を備え、
当該回数情報が前記暗証番号記録領域に記録されるともに、前記照合装置が備える記憶部に記録される
ことを特徴とする情報照合システムである。
【発明の効果】
【００１４】
この発明によれば、既存の磁気記録カード及び設備に導入しやすく、かつセキュリティ性の高い磁気記録カード及び情報照合システムを提供することができる。
【図面の簡単な説明】
【００１５】
【図１】本発明の磁気記録カードの一例であって、（ａ）磁気記録層の一例、（ｂ）磁気記録層の他の例を表す図である。
【図２】磁気記録層に磁気記録カードの使用回数に関する情報が記録されている一例を表す。
【図３】磁気記録カードの使用回数に関する情報の一例を表す。
【図４】本発明に係る情報照合システムの構成の一例を表す図である。
【図５】本発明に係る情報照合システムの処理フローの一例を表す図である。
【図６】本発明に係る情報照合システムの処理フローの他の一例を表す図である。
【図７】本発明に係る情報照合システムの処理フローの更に他の一例を表す図である。
【図８】本発明に係る情報照合システムの処理フローの更に他の一例を表す図である。
【図９】ＪＩＳ−ＩＩ型のキャッシュカードの磁気記録層に記録されている磁気情報の一例を表す図である。
【発明を実施するための形態】
【００１６】
以下、添付図面を参照して、本発明の実施形態の一例を説明する。
【００１７】
［磁気記録カードの構成］
図１図示の磁気記録カード１は、カード基板２と、各種情報を記録する磁気記録層３とを備えている。磁気記録層３は磁性体からなり、ＪＩＳ−Ｉ型、ＪＩＳ−ＩＩ型の規格によってカード基板２の表面又は裏面に形成されている。本実施形態では、磁気記録カード１をキャッシュカード（図１（ａ））、クレジットカード（図１（ｂ））としている。
【００１８】
磁気記録層３は所定の桁数で規格化されている。本実施形態の磁気記録層３では図９図示のように英数字７２文字の情報が記録できるＪＩＳ−ＩＩ型の銀行等のキャッシュカードの規格で使用内容を説明している。
【００１９】
本実施形態では、磁気記録層３は、金融機関情報記録領域４、暗証番号記録領域５、予備領域６を備えている。
【００２０】
金融機関情報記録領域４には、磁気記録カード１を発行する金融機関に関する情報が記録されている。図９図示の形態では、金融機関に関する情報として、ＩＤマーク、銀行承認コード、銀行コード、支店コード、口座番号がそれぞれ、金融機関情報記録領域４ａ、・・・、４ｅに記録されている。
【００２１】
暗証番号記録領域５には、暗証番号が記録されている。あるいは前記暗証番号がゼロ暗証化方式により、４桁の０（ゼロ）に統一されて記録されている。
【００２２】
予備領域６には、磁気記録カード１の用途に応じた種々の情報が記録されている。図９図示の形態では、磁気記録カード１の用途として、支払い可能残高、支払い限度額、有効期限、最新使用年月日がそれぞれ、予備領域６ａ、・・・、６ｄに記録できるよう割り当てられる。
【００２３】
なお、図９図示のように予備領域６に上述の種々の情報を記録することができるが、これらの情報が記録されておらず、予備領域６ａ〜６ｄが予備領域６ｅのように未使用の領域となっている場合もある。
【００２４】
本実施形態では、図２図示のように、暗証番号記録領域５に磁気記録カード１の使用回数についての回数情報１０ｎ（ｎは回数を表す。以下同じ。）が記録されている。あるいは、前記ゼロ暗証化されている暗証番号記録領域５に回数情報１０ｎが記録されている。
【００２５】
暗証番号記録領域５に回数情報１０ｎが記録される態様としては、例えば以下の態様を例示できる。
【００２６】
（１）暗証番号記録領域５に暗証番号が記録されており、ゼロ暗証化方式が採用されていない磁気記録カード１において、ゼロ暗証化方式により前記暗証番号がゼロ暗証化された暗証番号記録領域５に回数情報１０ｎが前記４桁の０に上書きされて記録される態様。  
（２）ゼロ暗証化方式により暗証番号がゼロ暗証化されている磁気記録カード１において、ゼロ暗証化された暗証番号記録領域５に回数情報１０ｎが前記４桁の０に上書きされて記録される態様。  
（３）後述する回数情報１０ｎが暗証番号記録領域５に記録されている磁気記録カード１において、暗証番号記録領域５に新たな回数情報１０ｎ+1が古い回数情報１０ｎに上書きされて記録される態様。
【００２７】
回数情報１０ｎは、情報の読み込み・書き込みを行う端末装置が行う磁気記録カード１の利用回数（今回利用回数又は次回利用回数）の照合回数、等を例示できる。今回利用回数の照合回数としては、例えば、磁気記録カード１を前記端末装置に使用した時点における磁気記録カード１の利用回数の照合回数とすることができる。次回利用回数の照合回数としては、例えば、磁気記録カード１を前記端末装置に次回使用する際の磁気記録カード１の利用回数の照合回数とすることができる。また、回数情報１０ｎは、１回、２回等の回数を直接表す数字や、演算化された固有の情報として作成される。
【００２８】
図２に示す回数情報１０ｎが暗証番号記録領域５に記録されている場合、カード情報の照合機能を有する照合装置では、金融機関情報記録領域４及び予備領域６に記録されている各種のカード情報が照合され、次いで暗証番号記録領域５に記録されている回数情報１０ｎが照合されることになる。仮に金融機関情報記録領域４及び予備領域６に記録されている前記カード情報が正しく照合されたとしても、暗証番号記録領域５に記録されている回数情報１０ｎが異なっていれば磁気記録カード１を使用することはできない。したがって、磁気記録カード１が偽造されたか否かを前記照合装置で判断することができる。
【００２９】
なお、図２図示の形態の他に、暗証番号記録領域５に回数情報１０ｎの一部を記録し、予備領域６（例えば予備領域６ｅ）に回数情報１０ｎの他の一部を記録してもよい。
【００３０】
また、セキュリティ強化の観点から回数情報１０ｎを複数の割符情報に分割し、暗証番号記録領域５及び／又は予備領域６に前記割符情報の一部を記録してもよい。例えば、図３に示すように、回数情報１０ｎをビット単位でランダムに三つの割符情報１０ａｎ、１０ｂｎ、１０ｃｎに分割し、割符情報１０ａｎを暗証番号記録領域５に記録しておき、残りの割符情報１０ｂｎ、１０ｃｎについては、前記照合装置に記録しておくことができる。
【００３１】
あるいは、割符情報１０ａｎを暗証番号記録領域５に記録しておき、割符情報１０ｂｎを予備領域６（例えば予備領域６ｅ）に記録しておき、割符情報１０ｃｎについては、前記照合装置に記録しておくこともできる。
【００３２】
このように、本実施形態では従来の磁気記録カードの磁気記録層のうち、暗証番号記録領域を利用している。特に、暗証番号を記録することのみに使用されていた暗証番号記録領域に、磁気記録カードの使用回数についての回数情報を記録し、あるいは、前記ゼロ暗証化されている暗証番号記録領域に前記回数情報を記録し、前記回数情報を前記照合装置で照合させることで、磁気記録カード１のセキュリティ性を高めることができる。
【００３３】
なお、本実施形態では、ＪＩＳ−ＩＩ型の銀行等のキャッシュカードを例として説明しているが、ＪＩＳ−Ｉ型の国際規格のクレジットカード等の場合でも同様に、暗証番号記録領域と予備領域があり、これらの領域にカードの使用回数についての回数情報を記録しておき、この回数情報を照合装置側で照合させることができる。
【００３４】
［磁気記録情報照合システム］
本発明に係る情報照合システム１１は、図４に示すように、上述した磁気記録カード１と、磁気記録カード１の金融機関情報記録領域４及び予備領域６第一に記録されているカード情報並びに、暗証番号記録領域５に記録されている回数情報１０ｎを照合する照合装置１４と、を備えてなる。上述した磁気記録カード１の構成と共通する構成には同じ符号を付し、その説明を省略する。
【００３５】
図４に示す照合装置１４は、磁気記録カード１に記録されている前記カード情報及び回数情報１０ｎの読み取り及び書き込みを行う端末装置１２と、端末装置１２から前記カード情報及び回数情報１０ｎを取得して、当該情報を照合する受信装置１３と、を備えている。
【００３６】
本実施形態では、照合装置１４を端末装置１２と受信装置１３とを備えた構成としているが、これらを一体化した装置を照合装置１４とすることもできる。
【００３７】
端末装置１２は、情報読取部１５、情報送受信部１６、情報書込部１７、制御部１８を備えている。これらを備える端末装置１２としてカードリーダ／ライタを備えるキャッシュディスペンサー、現金自動預け払い機、ＰＯＳシステムで使用される決済端末、等を例示することができる。
【００３８】
情報読取部１５は、磁気記録カード１の磁気記録層３に記録されている情報を読み取る処理を行う。
【００３９】
情報送受信部１６は、受信装置１３との間で情報の送受信を行う。情報の送受信は専用回線等の通信回線によって行われる。
【００４０】
情報書込部１７は、後述する磁気記録カード１の回数情報１０ｎを磁気記録層３に書き込む処理を行う。
【００４１】
これら各部が行う処理は、ＣＰＵ、ＲＡＭ、ＲＯＭ等を備える制御部１８によって制御される。
【００４２】
受信装置１３は、情報送受信部１９、記憶部２０、カード情報照合部２１、回数情報作成部２２、回数情報照合部２３、暗号化処理部２４、回数情報復元部２５、制御部２６を備えている。これらを備える受信装置１３として外部の照合センター等が備えるパーソナルコンピュータや、物理サーバ、クラウドサーバ等のサーバ装置を例示することができる。また、複数のサーバ装置で構成して、一部のサーバを照合用として使用し、他の一部を情報保存用に使用してもよい。
【００４３】
情報送受信部１９は、端末装置１２との間で情報の送受信を行う。
【００４４】
記憶部２０は補助記憶装置を例示でき、種々の情報が記録されている。図４に示す形態では、一例として、キャッシュディスペンサー、現金自動預け払い機、ＰＯＳシステムで使用される決済端末、等で種々のサービスの提供を受けるための暗証番号、予め登録されている銀行コード、支店番号、口座番号等のカード情報２０ａ、磁気記録カード１の使用回数についての回数情報１０ｎが記録されている。
【００４５】
カード情報照合部２１は、磁気記録カード１の金融機関情報記録領域４及び予備領域６に記録されているカード情報が、記憶部２０に記録されているカード情報２０ａと一致するか否かを照合する処理を行う。
【００４６】
回数情報作成部２２は、例えば、金融機関情報記録領域４及び予備領域６に記録されている前記カード情報が正しいと照合された後に、磁気記録カード１の使用回数についての回数情報１０ｎを作成する処理を行う。作成された回数情報１０ｎは記憶部２０に記録される。また、作成された回数情報１０ｎは端末装置１２に送信され、情報書込部１７によって磁気記録カード１の暗証番号記録領域５に記録される。
【００４７】
回数情報照合部２３は、磁気記録カード１から暗証番号記録領域５に記録されている磁気記録カード１の使用回数についての回数情報を取得して、当該取得した回数情報が、記憶部２０に記録されている回数情報１０ｎと一致するか否か照合する処理を行う。
【００４８】
回数情報作成部２２は、更に、磁気記録カード１から取得した磁気記録カード１の使用回数についての回数情報１０ｎと、記憶部２０に記録されている回数情報１０ｎとが一致した場合、回数情報１０ｎを新たな回数情報に更新する処理を行う。
【００４９】
例えば、磁気記録カード１から取得した回数ｎを直接表す数字や、演算化された固有の情報として作成された回数情報１０ｎが、記憶部２０に記録されている回数情報１０ｎと一致した場合、回数情報作成部２２は、照合した回数情報１０ｎを、新たな回数情報１０ｎ+1に更新する処理を行う。更新された回数情報１０ｎ+1は記憶部２０に記録される。また、端末装置１２にも送信され、情報書込部１７によって磁気記録カード１の暗証番号記録領域５に記録される。
【００５０】
なお、更新された回数情報１０ｎ+1は上述したように磁気記録カード１を使用した時点の使用回数となるが、回数情報作成部２２は、この更新された回数情報１０ｎ+1から上述した次回の磁気記録カード１使用時の使用回数となる回数情報１０ｎ+2を作成する処理を行うこともできる。作成された回数情報１０ｎ+2は記憶部２０に記録される。また、作成された回数情報１０ｎ+2は端末装置１２に送信され、情報書込部１７によって磁気記録カード１の暗証番号記録領域５に記録される。
【００５１】
暗号化処理部２４は、回数情報１０ｎを複数の割符情報に分割する処理を行う。例えば、回数情報作成部２２によって作成又は更新された回数情報１０ｎを、図３に示すようにビット単位でランダムに三つの割符情報１０ａｎ、１０ｂｎ、１０ｃｎに分割する処理を行う。割符情報の一部１０ａｎは端末装置１２に送信され、情報書込部１７によって磁気記録カード１の暗証番号記録領域５に記録される。残りの割符情報１０ｂｎ、１０ｃｎについては、記憶部２０に記録される。
【００５２】
回数情報復元部２５は、磁気記録カード１から暗証番号記録領域５に記録されている前記割符情報の一部を取得して、当該取得した割符情報の一部と、記憶部２０に記録されている前記割符情報の他の一部とに基づいて、前記分割される前の回数情報１０ｎに復元する処理を行う。
【００５３】
例えば、磁気記録カード１から暗証番号記録領域５に記録されている割符情報１０ａ２を取得して、当該取得した割符情報１０ａ２と、記憶部２０に記憶されている他の割符情報１０ｂ２、１０ｃ２とに基づいて、前記分割される前の「２」を直接表す数字や、演算化された固有の情報として作成された回数情報１０２に復号化する処理を行う。
【００５４】
これら各部が行う処理は、ＣＰＵ、ＲＡＭ、ＲＯＭ等を備える制御部２６によって制御される。
【００５５】
このように、本実施形態では従来の磁気記録カードの磁気記録層のうち、暗証番号記録領域を利用している。特に、暗証番号を記録することのみに使用されていた暗証番号記録領域に、磁気記録カードの使用回数についての回数情報を記録し、あるいは、前記ゼロ暗証化されている暗証番号記録領域に記録している。そして、既存のキャッシュディスペンサー、現金自動預け払い機、ＰＯＳシステムで使用される決済端末、等は、情報の読み込み、書込み機能を有しているので、前記回数情報を情報読取部１５で読み込み、照合装置１４で照合し、情報書込部１７で新たな情報を書き込むことで容易に新しい回数情報に更新されるので、磁気記録カード１のセキュリティ性を高めることができる。
【００５６】
例えば、磁気記録カード１の磁気記録層３に記録されている前記カード情報や前記回数情報が漏洩し、偽造カードが作成された場合、磁気記録カード１の所有者が磁気記録カード１を使用するごとに前記回数情報のみが更新されるので、前記偽造カードが使用されても照合装置で本物のカードと偽造されたカードの区別を判断することができる。
【００５７】
このような場合、磁気記録カード１の所有者本人が銀行等の金融機関において本人確認を行うことで、磁気記録カード１の偽造を行った者がいつ、どこで磁気記録カード１を使用したか（磁気記録カード１の使用回数がいつ、どこで変更されたか）を銀行側で把握することができ、金融機関が預金盗難の保険対応をしていない事例を自ら明かす補助につながり、預金者保護を実現することができる。
【００５８】
また、磁気記録カード１の暗証番号記録領域を使用することで、既存のキャッシュディスペンサー、現金自動預け払い機、ＰＯＳシステムで使用される決済端末、等に対して、磁気記録カード１の暗証番号記録領域に前記回数情報を記録するためのソフトウェアの更新で済むことになるので、新たな設備を要することなく容易に本発明に係るシステムを導入することができる。さらに、磁気記録カード１の所有者に対しては特段の対応を要することもない。
【００５９】
［本発明の処理フロー］
＜磁気記録カードの初回使用時＞
図５を参照して、本発明の処理フローを説明する。この処理フローは、磁気記録カード１の暗証番号記録領域５に、磁気記録カード１の使用回数についての回数情報１０ｎが記録されていない場合を説明するものである。
【００６０】
磁気記録カード１の磁気記録層３は図１（ａ）に示すとおりで、金融機関情報記録領域４及び予備領域６にカード情報が記録されており、暗証番号記録領域５に暗証番号又は前記暗証番号がゼロ暗証化され、４桁の０が記録された状態である。
【００６１】
（Ｓ１０１）
磁気記録カード１が端末装置１２のカード挿入口に挿入され、暗証番号の入力を受け付けると、情報読取部１５によって磁気記録カード１の金融機関情報記録領域４及び予備領域６に記録されているカード情報が読み取られる。読み取られたカード情報及び入力された前記暗証番号は受信装置１３へ送信される。
【００６２】
（Ｓ１０２）
受信装置１３のカード情報照合部２１は、端末装置１２から取得した前記カード情報及び前記暗証番号が、記憶部２０に記録されているカード情報２０ａと一致するか否かを照合する処理を行う。  
照合の結果、一致しなかった場合、その旨を出力し、再度暗証番号等の入力を促す処理が行われる。
【００６３】
（Ｓ１０３）
照合の結果、一致した場合、回数情報作成部２２は、回数ｎを直接表す数字や、演算化された固有の情報として磁気記録カード１の使用回数についての回数情報１０ｎを作成する処理を行う。
【００６４】
（Ｓ１０４、１０５）
作成された回数情報１０ｎは記憶部２０に記録される。また、端末装置１２にも送信され、情報書込部１７によって磁気記録カード１の暗証番号記録領域５に記録される。
【００６５】
＜磁気記録カードの２回目以降の使用時＞
図６を参照して、磁気記録カード１の暗証番号記録領域５に、磁気記録カード１の使用回数についての回数情報が記録されている状態における本発明の処理フローを説明する。
【００６６】
磁気記録カード１の磁気記録層３は図２に示すとおりで、カード情報が金融機関情報記録領域４及び予備領域６に記録されており、回数情報１０ｎが暗証番号記録領域５に記録されている。
【００６７】
（Ｓ２０１）
磁気記録カード１が端末装置１２のカード挿入口に挿入され、暗証番号の入力を受け付けると、情報読取部１５によって磁気記録カード１の金融機関情報記録領域４及び予備領域６に記録されているカード情報と、暗証番号記録領域５に記録されている回数情報１０ｎが読み取られる。読み取られたカード情報、回数情報１０ｎ及び入力された前記暗証番号は受信装置１３へ送信される。
【００６８】
（Ｓ２０２）
受信装置１３のカード情報照合部２１は、端末装置１２から取得した前記カード情報が、記憶部２０に記録されているカード情報２０ａと一致するか否かを照合する処理を行う。  
照合の結果、一致しなかった場合、その旨を出力し、再度暗証番号等の入力を促す処理が行われる。
【００６９】
（Ｓ２０３）
照合の結果、一致した場合、回数情報照合部２３は、端末装置１２から取得した回数情報１０ｎが、記憶部２０に記録されている回数情報１０ｎと一致するか否かを照合する処理を行う。  
照合の結果、一致しなかった場合、その旨を出力し、再度暗証番号等の入力を促す処理が行われる。
【００７０】
（Ｓ２０４）
照合の結果、一致した場合、回数情報作成部２２は、今回の回数情報１０ｎを新たな回数情報１０ｎ+1に更新する処理を行う。
【００７１】
（Ｓ２０５、Ｓ２０６）
更新された回数情報１０ｎ+1は記憶部２０に記録される。また、端末装置１２にも送信され、情報書込部１７によって磁気記録カード１の暗証番号記録領域５に記録される。
【００７２】
＜回数情報の暗号化処理＞
図７、図８を参照して、回数情報の暗号化処理のフローについて説明する。
【００７３】
（Ｓ３０１）
図５のＳ１０３、図６のＳ２０４において、暗号化処理部２４は、回数情報作成部２２によって作成又は更新された回数情報１０ｎを、図３に示すようにビット単位でランダムに三つの割符情報１０ａｎ、１０ｂｎ、１０ｃｎに分割する処理を行う。
【００７４】
（Ｓ３０２、Ｓ３０３）
割符情報の一部１０ａｎは端末装置１２に送信され、情報書込部１７によって磁気記録カード１の暗証番号記録領域５に記録される。残りの割符情報１０ｂｎ、１０ｃｎについては、記憶部２０に記録される。
【００７５】
（Ｓ４０１）
磁気記録カード１の暗証番号記録領域５に割符情報１０ａｎが記録された状態で、磁気記録カード１が端末装置１２のカード挿入口に挿入され、暗証番号の入力を受け付けると、情報読取部１５によって磁気記録カード１の金融機関情報記録領域４及び予備領域６に記録されているカード情報と、暗証番号記録領域５に記録されている割符情報１０ａｎが読み取られる。読み取られたカード情報、割符情報１０ａｎ及び入力された前記暗証番号は受信装置１３へ送信される。
【００７６】
（Ｓ４０２）
受信装置１３のカード情報照合部２１は、端末装置１３から取得した前記カード情報が、記憶部２０に記録されているカード情報２０ａと一致するか否かを照合する処理を行う。  
照合の結果、一致しなかった場合、その旨を出力し、再度暗証番号等の入力を促す処理が行われる。
【００７７】
（Ｓ４０３）
照合の結果、一致した場合、回数情報復元部２５は、端末装置１２から取得した割符情報１０ａｎと、記憶部２０に記憶されている他の割符情報１０ｂｎ、１０ｃｎとに基づいて、前記分割される前の回数情報１０ｎに復号化する処理を行う。
【００７８】
（Ｓ４０４）
回数情報照合部２３は、復号化された回数情報１０ｎが、記憶部２０に記録されている回数情報１０ｎと一致するか否かを照合する処理を行う。  
照合の結果、一致しなかった場合、その旨を出力し、再度暗証番号等の入力を促す処理が行われる。
【００７９】
（Ｓ４０５）
照合の結果、一致した場合、回数情報作成部２２は、今回の回数情報１０ｎを新たな回数情報１０ｎ+1に更新する処理を行う。
【００８０】
（Ｓ４０６）
暗号化処理部２４は、回数情報作成部２２によって更新された回数情報１０ｎ+１を、ビット単位でランダムに新たな複数の割符情報１０ａｎ+１、１０ｂｎ+１、１０ｃｎ+１に分割する処理を行う。
【００８１】
（Ｓ４０７、Ｓ４０８）
新たな割符情報１０ａｎ+１は端末装置１２に送信され、情報書込部１７によって磁気記録カード１の暗証番号記録領域５に記録される）。残りの新たな割符情報１０ｂｎ+１、１０ｃｎ+１については、記憶部２０に記録される。以後、Ｓ４０１〜Ｓ４０８の処理が繰り返される。
【００８２】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００８３】
１  磁気記録カード
２  カード基板
３  磁気記録層
４（４ａ、・・・、４ｅ）  金融機関情報記録領域
５    暗証番号領域
６（６ａ、６ｂ、・・・、６ｅ）  予備領域
１０  照合許可回数情報
１０ａ、１０ｂ、１０ｃ  割符情報
１１  情報照合システム
１２  端末装置
１３  受信装置
１４  照合装置
１５  情報読取部
１６  情報送受信部
１７  情報書込部
１８  制御部
１９  情報送受信部
２０  記憶部
２０ａ  カード情報
２０ｂ  回数情報
２１  カード情報照合部
２２  回数情報更新部
２３  回数情報照合部
２４  暗号化処理部
２５  回数情報復元部
２６  制御部
【図１】
2018085161.tif 000003
【図２】
2018085161.tif 000004
【図３】
2018085161.tif 000005
【図４】
2018085161.tif 000006
【図５】
2018085161.tif 000007
【図６】
2018085161.tif 000008
【図７】
2018085161.tif 000009
【図８】
2018085161.tif 000010
【図９】
2018085161.tif 000011
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
磁気記録カードのカード基板に所定の桁数で規格化されている磁気記録層が形成されてなり、前記磁気記録層は暗証番号記録領域と、カード情報を記録するための予備領域とを備える磁気記録カードであって、
前記暗証番号記録領域に前記磁気記録カードの使用回数についての回数情報の一部が記録されており、
前記回数情報の他の一部が前記予備領域に記録されている
ことを特徴とする磁気記録カード。
【請求項２】
磁気記録カードのカード基板に所定の桁数で規格化されている磁気記録層が形成されてなり、前記磁気記録層は暗証番号記録領域と、カード情報を記録するための予備領域とを備える磁気記録カードであって、
前記磁気記録カードの使用回数についての回数情報が複数の割符情報に分割されていて、
前記暗証番号記録領域及び／又は前記予備領域に前記割符情報の一部が記録されている
ことを特徴とする磁気記録カード。
【請求項３】
前記暗証番号記録領域はゼロ暗証化されている
ことを特徴とする請求項１又は２記載の磁気記録カード。
【請求項４】
磁気記録カードのカード基板に所定の桁数で規格化されている磁気記録層が形成されてなり、前記磁気記録層は暗証番号記録領域と、カード情報を記録するための予備領域とを備える磁気記録カードと、前記磁気記録層に記録されている情報を照合する照合装置と、を備えてなる情報照合システムであって、
前記照合装置は、
前記磁気記録層に記録されている前記情報が正しいと照合された後に、前記磁気記録カードの使用回数についての回数情報を作成する回数情報作成部を備え、
前記回数情報の一部が前記暗証番号記録領域に記録され、前記回数情報の他の一部が前記予備領域に記録されるとともに、前記回数情報が、前記照合装置が備える記憶部に記録され、
前記照合装置は、さらに、
前記磁気記録カードから前記暗証番号記録領域及び前記予備領域に記録されている前記回数情報を取得して、当該取得した回数情報が、前記記憶部に記録されている前記回数情報と一致するか否かを照合する回数情報照合部を備える
ことを特徴とする情報照合システム。
【請求項５】
前記暗証番号記録領域はゼロ暗証化されている
ことを特徴とする請求項４記載の情報照合システム。
【請求項６】
前記回数情報は複数の割符情報に分割され、
前記暗証番号記録領域及び／又は前記予備領域に前記割符情報の一部が記録されており、
前記照合装置の前記記憶部に前記割符情報の他の一部が記録されており、
前記照合装置は、さらに、
前記磁気記録カードから前記暗証番号記録領域及び／又は前記予備領域に記録されている前記割符情報の一部を取得して、当該取得した割符情報の一部と、前記記憶部に記録されている前記割符情報の他の一部とに基づいて、前記分割される前の回数情報に復元する回数情報復元部を備える、
ことを特徴とする請求項５記載の情報照合システム。
【請求項７】
前記照合装置は、
前記磁気記録層に記録されている前記情報の読み取り及び書き込みを行う端末装置と、
前記端末装置から前記情報を取得して、当該情報を照合する受信装置と、を備えてなる
ことを特徴とする請求項５又は６記載の情報照合システム。
【手続補正２】
【補正対象書類名】明細書
【補正対象項目名】００１２
【補正方法】変更
【補正の内容】
【００１２】
請求項１の発明は、
磁気記録カードのカード基板に所定の桁数で規格化されている磁気記録層が形成されてなり、前記磁気記録層は暗証番号記録領域と、カード情報を記録するための予備領域とを備える磁気記録カードであって、
前記暗証番号記録領域に前記磁気記録カードの使用回数についての回数情報の一部が記録されており、
前記回数情報の他の一部が前記予備領域に記録されている
ことを特徴とする磁気記録カードである。
【手続補正３】
【補正対象書類名】明細書
【補正対象項目名】００１３
【補正方法】変更
【補正の内容】
【００１３】
請求項４の発明は、
磁気記録カードのカード基板に所定の桁数で規格化されている磁気記録層が形成されてなり、前記磁気記録層は暗証番号記録領域と、カード情報を記録するための予備領域とを備える磁気記録カードと、前記磁気記録層に記録されている情報を照合する照合装置と、を備えてなる情報照合システムであって、
前記照合装置は、
前記磁気記録層に記録されている前記情報が正しいと照合された後に、前記磁気記録カードの使用回数についての回数情報を作成する回数情報作成部を備え、
前記回数情報の一部が前記暗証番号記録領域に記録され、前記回数情報の他の一部が前記予備領域に記録されるとともに、前記回数情報が、前記照合装置が備える記憶部に記録され、
前記照合装置は、さらに、
前記磁気記録カードから前記暗証番号記録領域及び前記予備領域に記録されている前記回数情報を取得して、当該取得した回数情報が、前記記憶部に記録されている前記回数情報と一致するか否かを照合する回数情報照合部を備える
ことを特徴とする情報照合システムである。